(57)【要約】【課題】簡単な操作により二液を混合して使用することができるため取り扱いが非常に便利であり、また構造が簡単で、取り扱い中に収納液を極力外気と遮断でき、必要に応じて開封後の残液の保存も可能な二液混合容器を提案する。【解決手段】圧搾可能な第１収納皿部10と、圧搾可能な第２収納皿部11と、混合用皿部12とを、それら上端開口縁をフランジ13により一体に連結した容器本体２と、各収納皿部の上端開口を閉塞して周縁をフランジ13に固着したシート状の蓋体３とを備え、各収納皿部と混合用皿部とを破断線15を介して分離可能に構成するとともに、各収納皿部と混合用皿部との間に開封後吐出路となる非固着部ｙを設けた。【選択図】図１
2006240622.tif 000002
【特許請求の範囲】
【請求項１】
圧搾可能な第１収納皿部10と、圧搾可能な第２収納皿部11と、各収納皿部の液を混合するための混合用皿部12とを、それら上端開口縁をフランジ13により一体に連結した容器本体２と、前記各収納皿部の上端開口を閉塞して周縁をフランジ13に固着したシート状の蓋体３とを備え、前記各収納皿部と前記混合用皿部とを、それらの間のフランジ13部分に設けた易切断性の破断線15により分離可能に構成し、前記各収納皿部に一端を連続するとともに、他端を前記破断線15を越え且つ前記混合用皿部12と不連続な非固着部ｙを設けて開封後の吐出路16としたことを特徴とする二液混合容器。
【請求項２】
前記混合用皿部12側の前記蓋体３縁部を前記混合用皿部12上方まで延設した摘み片14を設けるとともに、前記破断線15から前記摘み片14までの蓋体固着部分を容易な剥離が可能に固着してなる請求項１記載の二液混合容器。
【請求項３】
前記第１収納皿部10及び前記第２収納皿部11を前記混合用皿部12にそれぞれ個別に連設してなる請求項１又は請求項２のいずれかに記載の二液混合容器。
【請求項４】
前記混合用皿部12の一側部に前記第１収納皿部10及び第２収納皿部11とを並列して連設するとともに、前記第１収納皿部10及び第２収納皿部11間の前記フランジ13部分に設けた易切断性の破断線15a により第１収納皿部10及び第２収納皿部11を分離可能に構成してなる請求項１又は請求項２のいずれかに記載の二液混合容器。
【発明の詳細な説明】
【技術分野】
【０００１】
本発明は混合容器に関する。
【背景技術】
【０００２】
二液を収納して使用時に同時に混合できる容器が提案されている。（例えば、特許文献１参照）
【０００３】
上記容器は、平板状の基板に一対の収納凹部を凹設するとともに、各収納凹部にそれぞれ一端を連通する細溝状の一対の注出凹部をそれぞれ凹設してなる合成樹脂製の本体と、各凹部を密閉して基板に固着した合成樹脂製の蓋板とからなり、各収納凹部間の基板を通り且つ各注出凹部をそれぞれ分割縦断して本体を縦断した分離破断線を設けている。
【０００４】
上記容器は、二種類の収納物を一遍に収納することができるとともに、使用時には分離破断線部分を切断すれば簡単に開封することができ、しかも切断部分が意図しない方向へ曲がったりする等の不都合がなく確実に開封でき、構造も簡単で容易に製造できる利点を兼ね備えた優れたものである。                                                            
【０００５】
【特許文献１】特開２００２−１２８０４０号公報
【発明の開示】
【発明が解決しようとする課題】
【０００６】
上記容器は上記した特有の効果を発揮するものであるが、例えば、毛染め液等の場合には二液を混合する必要があり、その様な場合には混合用の容器を別に用意しなければならない。また、外気との接触が不都合な収納液である場合には、一旦開封すると容器内外が連通状態にあるため、外気の影響を受け易くなる。収納液が一回に使用する量である場合には問題はないが、複数回に分割使用する場合には不都合が生じる。特に毛染め液等の場合には一回分用に分配収納されたものであっても、その用途によっては一部のみを使用する場合もあり、開封後の保管が短期間でも可能なものが要望される。
【０００７】
本発明は上記した点に鑑みてなされたもので、取り扱い中に収納液を極力外気と遮断でき、必要に応じて残液の保存も可能であり、特に毛染め液用に好適な二液混合容器を提案する。また、簡単な操作により二液を混合して使用することができて取り扱いが非常に便利であり、しかも構造が簡単で製造が容易な二液混合容器を提案する。
【課題を解決するための手段】
【０００８】
第１の手段として、圧搾可能な第１収納皿部10と、圧搾可能な第２収納皿部11と、各収納皿部の液を混合するための混合用皿部12とを、それら上端開口縁をフランジ13により一体に連結した容器本体２と、前記各収納皿部の上端開口を閉塞して周縁をフランジ13に固着したシート状の蓋体３とを備え、前記各収納皿部と前記混合用皿部とを、それらの間のフランジ13部分に設けた易切断性の破断線15により分離可能に構成し、前記各収納皿部に一端を連続するとともに、他端を前記破断線15を越え且つ前記混合用皿部12と不連続な非固着部ｙを設けて開封後の吐出路16とした。
【０００９】
第２の手段として、前記第１の手段に於いて、前記混合用皿部12側の前記蓋体３縁部を前記混合用皿部12上方まで延設した摘み片14を設けるとともに、前記破断線15から前記摘み片14までの蓋体固着部分を容易な剥離が可能に固着した。
【００１０】
第３の手段として、前記第１の手段又は第２の手段のいずれかに於いて、前記第１収納皿部10及び前記第２収納皿部11を前記混合用皿部12にそれぞれ個別に連設した。
【００１１】
第４の手段として、前記第１の手段又は第２の手段のいずれかに於いて、前記混合用皿部12の一側部に前記第１収納皿部10及び第２収納皿部11とを並列して連設するとともに、前記第１収納皿部10及び第２収納皿部11間の前記フランジ13部分に設けた易切断性の破断線15a により第１収納皿部10及び第２収納皿部11を分離可能に構成した。
【発明の効果】
【００１２】
本発明では、二液を混合して使用することができ、予め混合用の容器を必要とせず、一体に組み合わされているため探し集める等の不都合がなく、取り扱いが非常に便利である。また、液を収納した蓋付きの収納皿部は開封後も良好な密閉性を備えているため、使用中にが外気による悪影響を受けるのを極力防止でき、また、短い期間であれば残液を充分保存することができ効率良く収納液を使用することができる。
【００１３】
また、前記混合用皿部12側の前記蓋体３縁部を前記混合用皿部12上方まで延設した摘み片14を設けるとともに、前記破断線15から前記摘み片14までの蓋体固着部分を容易な剥離が可能に固着すれば、吐出路16の先端開口部分が切断ミスなく直線的に開口することができ、吐出路16の密閉性をより確実なものとすることができる。
【００１４】
また、前記第１収納皿部10及び前記第２収納皿部11を前記混合用皿部12にそれぞれ個別に連設した形態の場合には、第１収納皿部10部分で形成される第１収納容器20及び第２収納皿部11部分で形成される第２収納容器21をそれぞれ自由に操作して液の注出が行えるため、取り扱い操作がより行い易くなる。
【００１５】
また、前記混合用皿部12の一側部に前記第１収納皿部10及び第２収納皿部11とを並列して連設するとともに、前記第１収納皿部10及び第２収納皿部11間の前記フランジ13部分に設けた易切断性の破断線15a により第１収納皿部10及び第２収納皿部11を分離可能に構成した形態の場合には、上記した第１収納容器20及び第２収納容器21を一体でも別体でも取り扱える自由度が増加し、収納物の種類等により適宜選択できる汎用性がある。
【発明を実施するための最良の形態】
【００１６】
以下、本発明の実施例の形態を図面を参照して説明する。
【００１７】
図１乃至図４は本発明二液混合容器の一例を示すもので、該二液混合容器１は、容器本体２と、蓋体３とを備えている。
【００１８】
容器本体２は合成樹脂により一体に形成されたもので、圧搾可能な第１収納皿部10と、圧搾可能な第２収納皿部11と、各収納皿部の液を混合するための混合用皿部12とを、それら上端開口縁をフランジ13により一体に連結して構成している。第１収納皿部10と第２収納皿部11とは並列させ、混合用皿部12の一側縁にフランジ13を介して連設している。換言すれば、シート状の基板に第１収納皿部10及び第２収納皿部11及び混合用皿部12を凹設した形態のもので、シート成形により形成することができる。このことは他の例も同様である。但し、各第１，第２収納皿部10，11は、それぞれ混合用皿部12に直接連設されている必要がある。
【００１９】
蓋体３は、各第１収納皿部10及び第２収納皿部11の上端開口を閉塞して周縁をフランジ13に固着したシート状をなすもので、合成樹脂の単独シート，積層シート，或いは合成樹脂と金属との積層シート等により形成される。容器本体２への蓋体３の固着手段としては、融着、接着等の適宜固着手段が採用できる。本例では混合用皿部12側の蓋体３固着縁部から混合用皿部12の上方まで蓋体３を延設した摘み片14を設けるとともに、後述する破断線15から摘み片14までの蓋体の固着部分を容易な剥離が可能に固着している。図２に示す如く、領域ａと領域ｂのフランジ13部分を蓋体の固着部分ｘとし、破断線15から混合用皿部12の開口縁までの領域ａのフランジ13部分を容易な剥離が可能に固着部分ｘ1 とし、それ以外の領域ｂのフランジ13部分を通常の剥離が困難な状態の固着部分ｘ2 としている。容易な剥離が可能に固着する手段としては、例えばヒートシール等により行う場合には、その部分の加圧, 加熱条件を調整したり、或いは接着剤による固着の場合には剥離可能な部分を接着強度の弱い接着剤を選択する等種々採用できる。
【００２０】
本発明では、第１収納皿部10及び第２収納皿部11と、混合用皿部12とを、それらの間のフランジ13部分に設けた易切断性の破断線15によりそれぞれ分離可能に構成しており、更に、第１収納皿部10及び第２収納皿部11にそれぞれ一端を連続するとともに、他端を前記破断線15を越え且つ混合用皿部12と不連続な非固着部ｙを設けて、図４に示す如き開封後の吐出路16としている。本例の場合には各第１，第２収納皿部10，11と混合用皿部12との間に破断線15を設けるとともに、第１収納皿部10と第２収納皿部11との間にも各収納皿部分離用の破断線15a を設けて両者を分離可能に構成している。破断線15及び各収納皿部分離用の破断線15a は、該当位置を薄肉に形成した形態を採ることができ、また、各破断線の端部にノッチを形成しても良い。
【００２１】
上記二液混合容器１を使用するに当たっては、まず摘み片14をもって剥離可能な固着部分ｘ1 を剥離するとともに、破断線15から摘み片14を切断除去する。この際非固着部ｙの一部が露出する。次いで、破断線15を切断して各第１，第２収納皿部10，11を混合用皿部12から分離し、更に、各収納皿部分離用の破断線15a を切断して各第１，第２収納皿部10，11を分離することにより、図４に示す如き、吐出路16がそれぞれ開口した第１収納容器20及び第２収納容器21及び混合用皿22が形成される。そして、各第１，第２収納容器20，21の上下を掴んでその底部をそれぞれ押圧することにより各第１，第２収納容器20、21内の収納液をそれぞれ吐出路16から混合用皿22内に吐出し、混合して使用することができる。尚、第１収納皿部10及び第２収納皿部11の間に破断線を設けない場合には、一体に液体収納容器が形成され、同様に混合使用することができる。
【００２２】
本発明に於いて形成される各第１，第２液体収納容器20、21は、その開封した吐出路16が弁機能を備えている。即ち、圧搾可能な収納皿部を押圧することにより収納皿部内の液は非固着部ｙの蓋体３及び容器本体２のフランジ13を押し広げて吐出路16を通って吐出されるが、収納皿部の押圧を解除すれば収納皿部は弾性復元力で元の状態に戻り、収納皿部内の負圧化により吐出路16内の液は引き戻され、また、非固着部ｙの蓋体３及び容器本体２のフランジ13も弾性復元力により元の状態に戻るため、通路が閉塞され、逆止弁として機能する。
【００２３】
図５は他の例を示すもので、第１収納皿部10及び第２収納皿部11を、混合用皿部12の対向位置に連結した容器本体２を使用した例である。この場合には蓋体３が、各収納皿部にそれぞれ設けられており、それ以外の基本的構成は図１の例と同様であるため、同符号を付して説明を省略する。
【００２４】
図６は更に他の例を示すもので、第１収納皿部10及び第２収納皿部11がそれぞれ平面視三角形状をなし、混合用皿部12の対向位置にそれぞれ連結した形態のものであり、その他は図１の例と同様であるため、同符号を付して説明を省略する。
【００２５】
図７は更に他の例を示すもので、図５の例に於いて、摘み片14及び蓋体３の容易な剥離が可能な固着部分ｘ1 部分がなく、蓋体３はその周縁部を各第１，第２収納皿部10，11周囲のフランジ13上に固着した形態のものである。従って、図５の例に於ける剥離可能な固着部分ｘ1 の部分も通常の剥離が困難な固着部分として構成している。この場合には、各第１，第２収納皿部10、11をそれぞれ破断線15部分で切断して吐出路16を開口する。従って、蓋体３の一部はフランジ13上に残る。その他の構成及び作用は図５の例と同様であるため、同符号を付して説明を省略する。
【００２６】
図８は更に他の例を示すもので、図６の例に於いて、図７の例と同様に、摘み片14及び蓋体３の剥離可能な固着部分ｘ1 がなく、蓋体３はその周縁部を各第１，第２収納皿部10，11周囲のフランジ13上に固着した形態のものである。この場合も、各第１，第２収納皿部10、11をそれぞれ破断線15部分で切断して吐出路16を開口する。従って、蓋体３の一部はフランジ13上に残る。その他の構成及び作用は図６の例と同様であるため、同符号を付して説明を省略する。
【図面の簡単な説明】
【００２７】
【図１】本発明二液混合容器の斜視図である。（実施例１）
【図２】本発明二液混合容器の平面図である。（実施例１）
【図３】本発明二液混合容器の縦断面図である。（実施例１）
【図４】本発明二液混合容器の使用を説明する説明図である。（実施例１）
【図５】本発明二液混合容器の平面図である。（実施例２）
【図６】本発明二液混合容器の平面図である。（実施例３）
【図７】本発明二液混合容器の平面図である。（実施例４）
【図８】本発明二液混合容器の平面図である。（実施例５）
【符号の説明】
【００２８】
２…容器本体，３…蓋体，10…第１収納皿部，11…第２収納皿部，12…混合用皿部，
13…フランジ，14…摘み片，15，15a …破断線，ｘ，ｘ1 ，ｘ2 …固着部分，
ｙ…非固着部
【図１】
2006240622.tif 000003
【図２】
2006240622.tif 000004
【図３】
2006240622.tif 000005
【図４】
2006240622.tif 000006
【図５】
2006240622.tif 000007
【図６】
2006240622.tif 000008
【図７】
2006240622.tif 000009
【図８】
2006240622.tif 000010